【手続補正書】
【提出日】平成17年8月10日(2005.8.10)
【手続補正１】
【補正対象書類名】特許請求の範囲
【補正対象項目名】請求項１
【補正方法】変更
【補正の内容】
【請求項１】
次の構成要件（Ａ01）〜（Ａ05）を備えた筆記具、
（Ａ01）筆記用芯部材が出没可能な前端開口と、後端に形成された筒状部材着脱口と、前記筒状部材着脱口から挿入される筒状部材が着脱可能に装着される筒状部材収容部とが設けられた外筒、
（Ａ02）前記外筒の前記筒状部材着脱口から挿入された状態で前記筒状部材収容部に着脱可能に装着され且つ、装着された状態で前記筒状部材着脱口に当接して後側に露出する当接部を有する前記筒状部材、
（Ａ03）内側に所定の機能を有する機能部品を収容可能な前記筒状部材、
（Ａ04）前記外筒の内側面に形成され且つ前記筒状部材を前後にガイドする筒状部材ガイド部と、前記筒状部材材収容部に装着された筒状部材が軸方向に容易に移動しないように係止する筒状部材係止部とを有する前記外筒、
（Ａ05）前記筒状部材の外側面に形成され且つ前記筒状部材ガイド部に前後方向にガイドされる被ガイド部と、前記筒状部材収容部に装着された状態で前記筒状部材が軸方向に容易に移動しないように前記筒状部材係止部により係止される被係止部とを有する前記筒状部材。
【手続補正２】
【補正対象書類名】特許請求の範囲
【補正対象項目名】請求項４
【補正方法】変更
【補正の内容】
【請求項４】
次の構成要件（Ａ01）〜（Ａ03），（Ａ08），（Ａ09）を備えた筆記具、
（Ａ01）筆記用芯部材が出没可能な前端開口と、後端に形成された筒状部材着脱口と、前記筒状部材着脱口から挿入される筒状部材が着脱可能に装着される筒状部材収容部とが設けられた外筒、
（Ａ02）前記外筒の前記筒状部材着脱口から挿入された状態で前記筒状部材収容部に着脱可能に装着され且つ、装着された状態で前記筒状部材着脱口に当接して後側に露出する当接部を有する前記筒状部材、
（Ａ03）内側に所定の機能を有する機能部品を収容可能な前記筒状部材、
（Ａ08）前記外筒の内側面後端部にメスネジが形成された前記外筒、
（Ａ09）前記メスネジに螺合可能なオスネジが後端部外周面に形成され、前記メスネジとオスネジとが螺合した状態で前記外筒後端部に装着される前記筒状部材。
【手続補正３】
【補正対象書類名】特許請求の範囲
【補正対象項目名】請求項６
【補正方法】変更
【補正の内容】
【請求項６】
次の構成要件（Ａ01）〜（Ａ03），（Ａ010）を備えた筆記具、
（Ａ01）筆記用芯部材が出没可能な前端開口と、後端に形成された筒状部材着脱口と、前記筒状部材着脱口から挿入される筒状部材が着脱可能に装着される筒状部材収容部とが設けられた外筒、
（Ａ02）前記外筒の前記筒状部材着脱口から挿入された状態で前記筒状部材収容部に着脱可能に装着され且つ、装着された状態で前記筒状部材着脱口に当接して後側に露出する当接部を有する前記筒状部材、
（Ａ03）内側に所定の機能を有する機能部品を収容可能な前記筒状部材、
（Ａ010）前記筒状部材材収容部に収容される部分が前記外筒内側面に嵌合状態で収容される外径を有し、前端から後端までほぼ同一の内径を有する円筒である前記筒状部材。
【手続補正４】
【補正対象書類名】特許請求の範囲
【補正対象項目名】請求項７
【補正方法】変更
【補正の内容】
【請求項７】
次の構成要件（Ａ01）〜（Ａ03），（Ａ011），（Ａ012）を備えた筆記具、
（Ａ01）筆記用芯部材が出没可能な前端開口と、後端に形成された筒状部材着脱口と、前記筒状部材着脱口から挿入される筒状部材が着脱可能に装着される筒状部材収容部とが設けられた外筒、
（Ａ02）前記外筒の前記筒状部材着脱口から挿入された状態で前記筒状部材収容部に着脱可能に装着され且つ、装着された状態で前記筒状部材着脱口に当接して後側に露出する当接部を有する前記筒状部材、
（Ａ03）内側に所定の機能を有する機能部品を収容可能な前記筒状部材、
（Ａ011）前記筆記用芯部材が出没可能な前端開口および前記筆記用芯部材が貫通する後端貫通口が形成された前部外筒と、前記後端貫通口に接続し且つ前記筆記用芯部材が前後に移動可能に貫通する前端貫通口、前記筒状部材収容部および前記筒状部材着脱口を有する後部外筒を有する前記外筒、
（Ａ012）前記後部外筒を前記前部外筒に対して回転させたときに前記筆記用芯部材を前記前部外筒の前端開口から出没させるために前記後部外筒内周面に形成されたカム。
【手続補正５】
【補正対象書類名】明細書
【補正対象項目名】０００７
【補正方法】変更
【補正の内容】
【０００７】
（第１発明）
前記課題を解決するために第１発明の筆記具は、次の構成要件（Ａ01）〜（Ａ05）を備えたことを特徴とする。
（Ａ01）筆記用芯部材（６）が出没可能な前端開口（７１）と、後端に形成された筒状部材着脱口（２１）と、前記筒状部材着脱口（２１）から挿入される筒状部材（１９，９１，１０１，１０１′，２０１）が着脱可能に装着される筒状部材収容部（２０）とが設けられた外筒（２＋７）、
（Ａ02）前記外筒（２＋７）の前記筒状部材着脱口（２１）から挿入された状態で前記筒状部材収容部（２０）に着脱可能に装着され且つ、装着された状態で前記筒状部材着脱口（２１）に当接して後側に露出する当接部（９１ｅ，１０３ａ，１９２ｅ，２０３ａ）を有する前記筒状部材（１９，９１，１０１，１０１′，２０１）、
（Ａ03）内側に所定の機能を有する機能部品を収容可能な前記筒状部材（１９，９１，１０１，１０１′，２０１）、
（Ａ04）前記外筒（２＋７）の内側面に形成され且つ前記筒状部材（１９，９１，１０１，１０１′，２０１）を前後にガイドする筒状部材ガイド部（２５）と、前記筒状部材収容部（２０）に装着された筒状部材（１９，９１，１０１，１０１′，２０１）が軸方向に容易に移動しないように係止する筒状部材係止部（２４）とを有する前記外筒（２＋７）、
（Ａ05）前記筒状部材（１９，９１，１０１，１０１′，２０１）の外側面に形成され且つ前記筒状部材ガイド部（２５）に前後方向にガイドされる被ガイド部と、前記筒状部材収容部（２０）に装着された状態で前記筒状部材（１９，９１，１０１，１０１′，２０１）が軸方向に容易に移動しないように前記筒状部材係止部（２４）により係止される被係止部（９１ｃ，１９１ｂ，１０２ａ，２０２ａ）とを有する前記筒状部材（１９，９１，１０１，１０１′，２０１）。
【手続補正６】
【補正対象書類名】明細書
【補正対象項目名】０００８
【補正方法】変更
【補正の内容】
【０００８】
（第１発明の作用）
前記構成要件（Ａ01）〜（Ａ05）を備えた第１発明の筆記具では、外筒（２＋７）の前端開口（７１）は、筆記用芯部材（６）が出没可能である。外筒（２＋７）の後端に形成された筒状部材着脱口（２１）から挿入される筒状部材（１９，９１，１０１，１０１′，２０１）は、筒状部材収容部（２０）に着脱可能に装着される。前記筒状部材（１９，９１，１０１，１０１′，２０１）の当接部（９１ｅ，１０３ａ，１９２ｅ，２０３ａ）は、前記筒状部材収容部（２０）に着脱可能に装着された状態で前記筒状部材着脱口（２１）に当接して後側に露出する。したがって、前記当接部（９１ｅ，１０３ａ，１９２ｅ，２０３ａ）を把持して前記筒状部材（１９，９１，１０１，１０１′，２０１）の外筒（２＋７）への着脱を容易に行うことができる。
前記筒状部材（１９，９１，１０１，１０１′，２０１）の内側には所定の機能を有する機能部品が収容される。したがって、共通の筒状部材に種々の機能部品を収容したり、機能部品に応じて前記筒状部材（１９，９１，１０１，１０１′，２０１）の構成を変更したりすることにより、種々の機能部品を装着可能な筆記具を提供することが可能である。
前記筒状部材は、かならずしも周側面が閉ざされた形状のもののみを言うものではなく、周側面に開口した切欠部を有した形状の円筒状または角筒状の部材を筒状部材と言う。
【手続補正７】
【補正対象書類名】明細書
【補正対象項目名】００１２
【補正方法】変更
【補正の内容】
【００１２】
（第２発明）
第２発明の筆記具は、次の構成要件（Ａ01）〜（Ａ03），（Ａ08），（Ａ09）を備えたことを特徴とする。
（Ａ01）筆記用芯部材（６）が出没可能な前端開口（７１）と、後端に形成された筒状部材着脱口（２１）と、前記筒状部材着脱口（２１）から挿入される筒状部材（１９，９１，１０１，１０１′，２０１）が着脱可能に装着される筒状部材収容部（２０）とが設けられた外筒（２＋７）、
（Ａ02）前記外筒（２＋７）の前記筒状部材着脱口（２１）から挿入された状態で前記筒状部材収容部（２０）に着脱可能に装着され且つ、装着された状態で前記筒状部材着脱口（２１）に当接して後側に露出する当接部（９１ｅ，１０３ａ，１９２ｅ，２０３ａ）を有する前記筒状部材（１９，９１，１０１，１０１′，２０１）、
（Ａ03）内側に所定の機能を有する機能部品を収容可能な前記筒状部材（１９，９１，１０１，１０１′，２０１）、
（Ａ08）前記外筒（２＋７）の内側面後端部にメスネジが形成された前記外筒（２＋７）、
（Ａ09）前記メスネジに螺合可能なオスネジが後端部外周面に形成され、前記メスネジとオスネジとが螺合した状態で前記外筒後端部に装着される前記筒状部材（１９，９１，１０１，１０１′，２０１）。
【手続補正８】
【補正対象書類名】明細書
【補正対象項目名】００１３
【補正方法】変更
【補正の内容】
【００１３】
（第２発明の作用）
前記構成要件（Ａ01）〜（Ａ03），（Ａ08），（Ａ09）を備えた第２発明の筆記具では、外筒（２＋７）の前端開口（７１）は、筆記用芯部材（６）が出没可能である。外筒（２＋７）の後端に形成された筒状部材材着脱口（２１）から挿入される筒状部材（１９，９１，１０１，１０１′，２０１）は、筒状部材収容部（２０）に着脱可能に装着される。前記筒状部材（１９，９１，１０１，１０１′，２０１）の当接部（９１ｅ，１０３ａ，１９２ｅ，２０３ａ）は、前記筒状部材収容部（２０）に着脱可能に装着された状態で前記筒状部材着脱口（２１）に当接して後側に露出する。したがって、前記当接部（９１ｅ，１０３ａ，１９２ｅ，２０３ａ）を把持して前記筒状部材（１９，９１，１０１，１０１′，２０１）の外筒（２＋７）への着脱を容易に行うことができる。
前記筒状部材（１９，９１，１０１，１０１′，２０１）の内側には所定の機能を有する機能部品が収容される。したがって、共通の筒状部材に種々の機能部品を収容したり、機能部品に応じて前記筒状部材（１９，９１，１０１，１０１′，２０１）の構成を変更したりすることにより、種々の機能部品を装着可能な筆記具を提供することが可能である。
前記筒状部材（１９，９１，１０１，１０１′，２０１）の後端部外周面に形成されたオスネジは、前記外筒（２＋７）の内側面後端部に形成されたメスネジと螺合した状態で前記外筒後端部に装着される。
前記筒状部材（１９，９１，１０１，１０１′，２０１）および前記外筒（２＋７）は、前記ネジ連結により、容易に着脱可能である。
【手続補正９】
【補正対象書類名】明細書
【補正対象項目名】００１５
【補正方法】変更
【補正の内容】
【００１５】
（第３発明）
第３発明の筆記具は、次の構成要件（Ａ01）〜（Ａ03），（Ａ010）を備えたことを特徴とする。
（Ａ01）筆記用芯部材（６）が出没可能な前端開口（７１）と、後端に形成された筒状部材着脱口（２１）と、前記筒状部材着脱口（２１）から挿入される筒状部材（１９，９１，１０１，１０１′，２０１）が着脱可能に装着される筒状部材収容部（２０）とが設けられた外筒（２＋７）、
（Ａ02）前記外筒（２＋７）の前記筒状部材着脱口（２１）から挿入された状態で前記筒状部材収容部（２０）に着脱可能に装着され且つ、装着された状態で前記筒状部材着脱口（２１）に当接して後側に露出する当接部（９１ｅ，１０３ａ，１９２ｅ，２０３ａ）を有する前記筒状部材（１９，９１，１０１，１０１′，２０１）、
（Ａ03）内側に所定の機能を有する機能部品を収容可能な前記筒状部材（１９，９１，１０１，１０１′，２０１）、
（Ａ010）前記筒状部材収容部（２０）に収容される部分が前記外筒内側面に嵌合状態で収容される外径を有し、前端から後端までほぼ同一の内径を有する円筒である前記筒状部材（１９，９１，１０１，１０１′，２０１）。
【手続補正１０】
【補正対象書類名】明細書
【補正対象項目名】００１６
【補正方法】変更
【補正の内容】
【００１６】
（第３発明の作用）
前記構成要件（Ａ01）〜（Ａ03），（Ａ010）を備えた第３発明の筆記具では、外筒（２＋７）の前端開口（７１）は、筆記用芯部材（６）が出没可能である。外筒（２＋７）の後端に形成された筒状部材着脱口（２１）から挿入される筒状部材（１９，９１，１０１，１０１′，２０１）は、筒状部材収容部（２０）に着脱可能に装着される。前記筒状部材（１９，９１，１０１，１０１′，２０１）の当接部（９１ｅ，１０３ａ，１９２ｅ，２０３ａ）は、前記筒状部材収容部（２０）に着脱可能に装着された状態で前記筒状部材着脱口（２１）に当接して後側に露出する。したがって、前記当接部（９１ｅ，１０３ａ，１９２ｅ，２０３ａ）を把持して前記筒状部材（１９，９１，１０１，１０１′，２０１）の外筒（２＋７）への着脱を容易に行うことができる。
前記筒状部材（１９，９１，１０１，１０１′，２０１）の内側には所定の機能を有する機能部品が収容される。したがって、共通の筒状部材に種々の機能部品を収容したり、機能部品に応じて前記筒状部材（１９，９１，１０１，１０１′，２０１）の構成を変更したりすることにより、種々の機能部品を装着可能な筆記具を提供することが可能である。
前記筒状部材（１９，９１，１０１，１０１′，２０１）は、前記筒状部材収容部（２０）に収容される部分が前記外筒内側面に嵌合状態で収容される外径を有し、前端から後端までほぼ同一の内径を有する円筒なので、筒状部材（１９，９１，１０１，１０１′，２０１）の内側の空間を有効に利用することができる。
【手続補正１１】
【補正対象書類名】明細書
【補正対象項目名】００１７
【補正方法】変更
【補正の内容】
【００１７】
（第４発明）
第４発明の筆記具は、次の構成要件（Ａ01）〜（Ａ03），（Ａ011），（Ａ012）を備えたことを特徴とする。
（Ａ01）筆記用芯部材（６）が出没可能な前端開口（７１）と、後端に形成された筒状部材着脱口（２１）と、前記筒状部材着脱口（２１）から挿入される筒状部材（１９，９１，１０１，１０１′，２０１）が着脱可能に装着される筒状部材収容部（２０）とが設けられた外筒（２＋７）、
（Ａ02）前記外筒（２＋７）の前記筒状部材着脱口（２１）から挿入された状態で前記筒状部材収容部（２０）に着脱可能に装着され且つ、装着された状態で前記筒状部材着脱口（２１）に当接して後側に露出する当接部（９１ｅ，１０３ａ，１９２ｅ，２０３ａ）を有する前記筒状部材（１９，９１，１０１，１０１′，２０１）、
（Ａ03）内側に所定の機能を有する機能部品を収容可能な前記筒状部材（１９，９１，１０１，１０１′，２０１）、
（Ａ011）前記筆記用芯部材（６）が出没可能な前端開口（７１）および前記筆記用芯部材（６）が貫通する後端貫通口（７２）が形成された前部外筒（７）と、前記後端貫通口（７２）に接続し且つ前記筆記用芯部材（６）が前後に移動可能に貫通する前端貫通口（２２）、前記筒状部材収容部（２０）および前記筒状部材着脱口（２１）を有する後部外筒（２）を有する前記外筒（２＋７）、
（Ａ012）前記後部外筒（２）を前記前部外筒（７）に対して回転させたときに前記筆記用芯部材（６）を前記前部外筒（７）の前端開口（７１）から出没させるために前記後部外筒（２）内周面に形成されたカム（２６）。
【手続補正１２】
【補正対象書類名】明細書
【補正対象項目名】００１８
【補正方法】変更
【補正の内容】
【００１８】
（第４発明の作用）
前記構成要件（Ａ01）〜（Ａ03），（Ａ011），（Ａ012）を備えた第４発明の筆記具では、外筒（２＋７）の前端開口（７１）は、筆記用芯部材（６）が出没可能である。外筒（２＋７）の後端に形成された筒状部材着脱口（２１）から挿入される筒状部材（１９，９１，１０１，１０１′，２０１）は、筒状部材収容部（２０）に着脱可能に装着される。前記筒状部材（１９，９１，１０１，１０１′，２０１）の当接部（９１ｅ，１０３ａ，１９２ｅ，２０３ａ）は、前記筒状部材収容部（２０）に着脱可能に装着された状態で前記筒状部材着脱口（２１）に当接して後側に露出する。したがって、前記当接部（９１ｅ，１０３ａ，１９２ｅ，２０３ａ）を把持して前記筒状部材（１９，９１，１０１，１０１′，２０１）の外筒（２＋７）への着脱を容易に行うことができる。
前記筒状部材（１９，９１，１０１，１０１′，２０１）の内側には所定の機能を有する機能部品が収容される。したがって、共通の筒状部材に種々の機能部品を収容したり、機能部品に応じて前記筒状部材（１９，９１，１０１，１０１′，２０１）の構成を変更したりすることにより、種々の機能部品を装着可能な筆記具を提供することが可能である。
【手続補正１３】
【補正対象書類名】明細書
【補正対象項目名】００２６
【補正方法】変更
【補正の内容】
【００２６】
（第６発明）
第６発明の筆記具用の筒状部材（９１，１０１，１０１′）は、次の構成要件（Ａ016），（Ａ03），（Ａ010）を備えたことを特徴とする。
（Ａ016）筆記用芯部材（６）が出没可能な前端開口（７１）を有する外筒（２＋７）の後端に設けた筒状部材着脱口（２１）から挿入することにより前記外筒（２＋７）の筒状部材収容部（２０）に着脱可能に装着され、且つ装着された状態で前記円筒状部材着脱口（２１）後側に露出する把持部（９１ｆ，１０３ｂ）と、前記把持部（９１ｆ，１０３ｂ）の後端側に形成された尾栓着脱部（９１ｇ，１０１ａ）とを有する筒状部材（９１，１０１，１０１′）、
（Ａ03）内側に所定の機能を有する機能部品を収容可能な前記筒状部材（９１，１０１，１０１′）、
（Ａ010）前記筒状部材収容部（２０）に収容される部分が前記外筒内側面に嵌合状態で収容される外径を有し、前端から後端までほぼ同一の内径を有する円筒である前記筒状部材（９１，１０１，１０１′）。
【手続補正１４】
【補正対象書類名】明細書
【補正対象項目名】００２７
【補正方法】変更
【補正の内容】
【００２７】
（第６発明の作用）
前記構成要件（Ａ016），（Ａ03），（Ａ010）を備えた第６発明の筆記具用の筒状部材（９１，１０１，１０１′）は、筆記用芯部材（６）が出没可能な前端開口（７１）を有する外筒（２＋７）の後端に設けた筒状部材着脱口（２１）から挿入することにより前記外筒（２＋７）の筒状部材収容部（２０）に着脱可能に装着される。筒状部材（９１，１０１，１０１′）の把持部（９１ｆ，１０３ｂ）は、前記装着された状態で前記筒状部材着脱口（２１）の後側に露出する。前記把持部（９１ｆ，１０３ｂ）の後端側に形成された尾栓着脱部（９１ｇ，１０１ａ）には尾栓が着脱される。
前記筒状部材（９１，１０１，１０１′）の内側には、所定の機能を有する機能部品が収容される。
前記筒状部材（９１，１０１，１０１′）は、前記筒状部材収容部（２０）に収容される部分が前記外筒内側面に嵌合状態で収容される。また、前記筒状部材（９１，１０１，１０１′）の内径は、前端から後端までほぼ同一の内径を有する円筒なので、筒状部材（９１，１０１，１０１′）の内部容積を大きくすることが可能である。また、筒状部材（９１，１０１，１０１′）の前端部内側には、筆記用芯部材（６）の後端部または前記後端部に装着されたスライダ等を収容可能である。その場合、筆記具１の全長が長くなるの防止することができる。
【手続補正１５】
【補正対象書類名】明細書
【補正対象項目名】００２８
【補正方法】変更
【補正の内容】
【００２８】
（第６発明の形態１）
第６発明の形態１の筆記具用の筒状部材（９１，１０１，１０１′）は、前記第６発明において次の構成要件（Ａ017）を備えたことを特徴とする。
（Ａ017）前記筒状部材（９１，１０１，１０１′）の外側面に形成され且つ前記外筒内側面に形成された筒状部材ガイド部（２５）により前後方向にガイドされる被ガイド部（９１ｄ，１０５）と、前記筒状部材収容部（２０）に装着された状態で前記筒状部材（９１，１０１，１０１′）が軸方向に容易に移動しないように前記外筒内側面に形成された筒状部材係止部（２４）により係止される被係止部（９１ｃ，１０２ａ）とを有する前記筒状部材（９１，１０１，１０１′）。
【手続補正１６】
【補正対象書類名】明細書
【補正対象項目名】００２９
【補正方法】変更
【補正の内容】
【００２９】
（第６発明の形態１の作用）
前記構成要件（Ａ017）を備えた第６発明の形態１の筆記具用の筒状部材（９１，１０１，１０１′）では、前記筒状部材（９１，１０１，１０１′）の外側面に形成された被ガイド部（９１ｄ，１０５）が、前記外筒内側面に形成された筒状部材ガイド部（２５）により前後方向にガイドされる。前記筒状部材（９１，１０１，１０１′）が前記筒状部材収容部（２０）に装着された状態では、前記筒状部材（９１，１０１，１０１′）の被係止部（９１ｃ，１０２ａ）は、軸方向に容易に移動しないように前記外筒内側面に形成された筒状部材係止部（２４）により係止される。
したがって、前記筒状部材（９１，１０１，１０１′）は、外筒（２＋７）の内側に、所定の軸方向の位置で且つ所定の姿勢（回転位置）に装着される。
【手続補正１７】
【補正対象書類名】明細書
【補正対象項目名】００３０
【補正方法】変更
【補正の内容】
【００３０】
（第６発明の形態２）
第６発明の形態２の筆記具用の筒状部材（９１）は、第６発明または第６発明の形態１において次の構成要件（Ａ018）を備えたことを特徴とする。
（Ａ018）弾性調節用の切除部（９１ｂ）と前記被係止部（９１ｃ）とが前端筒状部（９１ａ）に形成された前記筒状部材（９１）。
（第６発明の形態２の作用）
前記構成要件（Ａ018）を備えた第６発明の形態２の筆記具用の筒状部材（９１）では、弾性調節用の切除部（９１ｂ）により前端筒状部（９１ａ）に適切な弾性を付与することが可能である。したがって、前記弾性変形可能な前端筒状部（９１ａ）に形成された前記被係止部（９１ｃ）を、筆記具の外筒（２＋７）内部の係止部材に容易に係止させることができる。
【手続補正１８】
【補正対象書類名】明細書
【補正対象項目名】００５６
【補正方法】変更
【補正の内容】
【００５６】
図２および図１５〜図１８において、本実施例２で使用している筒状カートリッジ（メモリ装着筒）１９は、前端円筒部（前端筒状部）１９１とその後側の筒状のメモリ装着部１９２とを有している。
図１５、図１６において、前記前端円筒部１９１には、３本のスリット（弾性調節用切除部）１９１ａが形成されており、前記スリット１９１ａにより適当な弾性を有している。前記前端円筒部１９１の外周面にはリング状の凹部（被係止部）１９１ｂが形成されており、前端円筒部１９１内側の後端には分離壁１９１ｃが形成されている。分離壁１９１ｃは前記筒状カートリッジ（筒状部材）１９の内側を前後に液密（または気密）に分離する部材であり、本実施例２では筒状カートリッジ１９と一体成形されているが、別体に構成することも可能である。なお、スリット１９１ａは省略することも可能である。
前記筒状のメモリ装着部１９２の内側にはメモリ装着孔１９２ａが形成されており、その後端にはメモリ着脱口１９２ｂが形成されている。また、メモリ装着部１９２には軸方向に延びる一対のスリット状開口（メモリガイド部）１９２ｃ，１９２ｃが形成されている。前記スリット状開口１９２ｃ，１９２ｃには円周方向に延びて形成された凹部により係止部１９２ｄ，１９２ｄが形成されている。またメモリ装着部１９２の後端部には前記後部外筒２の後端のカートリッジ着脱口２１（図２、図３参照）の後端に当接する当接部１９２ｅが形成されている。